(57)【要約】【課題】不織布シートに洗浄剤・殺菌剤を添加することなく、肌のデリケートな乳幼児や肌の弱いお年寄りでも使用することができるナノバブル水含有清拭消毒シートを提供する。【解決手段】不織布シートに洗浄剤・殺菌剤等を添加しないで、消毒・殺菌作用のある窒素、酸素、炭酸ガス、空気、オゾン、ヘリウム及び炭酸ガス・酸素混合物等のナノバブルを含有する水を含浸させて、肌のデリケートな乳幼児や肌の弱いお年寄りも使用可能な清拭消毒シートを得た。【特許請求の範囲】
【請求項１】
不織布シートにナノバブル含有消毒水を含浸させた清拭消毒シート。
【請求項２】
請求項１に記載のナノバブルが窒素、酸素、炭酸ガス、空気、オゾン、ヘリウム、炭酸ガスと酸素の混合物、及びこれら２種以上のガスの混合物であることを特徴とする清拭消毒シート。
【請求項３】
請求項１〜２に記載のナノバブルのメジアン径が１５０ｎｍ以下で、１ｍＬあたり４億個以上含むことを特徴とする清拭消毒シート。
【請求項４】
請求項１〜３に記載のナノバブル水が、蒸留水、イオン交換水等の精製水、および水道水のいずれか或いはこれらの組合せであることを特徴とする清拭消毒シート。
【請求項５】
メジアン径（Ｄ５０）が１５０ｎｍ以下の窒素、酸素、炭酸ガス、空気、オゾン、ヘリウム、炭酸ガスと酸素の混合物、及びこれら２種以上のガスの混合物であるナノバブルを１ｍＬあたり４億個以上含ませるように、ナノバブルガスを被処理水中に分散および混合する工程、または、予め製造したナノバブル水を前記被処理水に分散および混合することを特徴とするナノバブルを用いた水の処理方法。
【発明の詳細な説明】
【発明の詳細な説明】
【技術分野】
【０００１】  本発明は、ガーゼ、綿、合成繊維の不織布などの繊維シートにナノバブル含有洗浄水を含浸させた清拭消毒シートに関するものである。
【背景技術】
【０００２】  従来から、汚れた手や顔または排泄後の乳幼児のお尻を拭く清拭消毒シートとして、洗浄薬剤を含浸させた湿式の清拭消毒シートが利用されていた。この湿式の清拭消毒シートに含浸される洗浄剤は、清拭消毒しやすいように水分の含有量を多くしているものが多い。そのため、含有される水に発生する雑菌を防止するために、殺菌剤や抗菌剤などを含有させ、雑菌の発生を抑えている。また、直接肌に使用するものであることから、その使用感を向上させるために、ヒアルロン酸などの保湿成分を含有させている。【０００３】  しかし、手や顔または乳幼児のお尻などに直接使用する清拭消毒シートは、肌に対する刺激を考えた場合、肌に対する刺激を抑えるには、上記洗浄薬剤に含有される殺菌剤や抗菌材の含有量が少ないか、全く無いものが望まれる。特に、乳幼児のお尻や肌の弱いお年寄りが使用する場合には、刺激のある成分を極力少なくした清拭消毒シートが望まれる。【０００４】  従来の清拭消毒シートは、薬剤を含有させた水を繊維シートに含浸させ、極力殺菌防腐剤やアルコール系保湿剤または水溶性保湿剤の含有割合を低くしている。これにより、肌に対する刺激を少なくすることができるため、薬物に敏感な肌の人や乳幼児にも利用することができるものとなっている。
【発明の概要】
【発明が解決しようとする課題】
【０００５】  この従来の清拭消毒シートは、洗浄薬剤に含有する水として蒸留水や精製水などを用いるため、雑菌などが発生しやすく、これを抑えるために、殺菌防腐剤を含有させる必要がある。これにより、肌に対する刺激を完全に抑えることが出来ないという問題がある。【０００６】  また清拭消毒シートは、排泄後のお尻拭きとして乳幼児に頻繁に使用することが多く、洗浄薬剤に含有される殺菌防腐剤などの薬剤により、特にデリケートである乳幼児の肌がかぶれたり、湿疹などを患う可能性があるため、使用に対しては細心の注意を払う必要があるという問題もある。【０００７】  一方、洗浄薬剤に含有させるアルコール系保湿剤や水溶性保湿剤などの保湿成分は、一般の人が通常使用する際に、肌のべとつきなどを抑えることができるため、使用感を向上させることができる。しかし、肌のデリケートな乳幼児や肌の弱いお年寄りなどが使用した場合には、肌のトラブルを引き起こす原因になるという問題もある。【０００８】  本発明は、かかる事情に鑑みてなされたもので、不織布シートに含有する殺菌防腐剤を添加することなくナノバブルが有する殺菌・消毒作用を全面的に利用して、肌のデリケートな乳幼児や肌の弱いお年寄りでも使用することができる清拭消毒シートを提供することを課題とするものである。勿論保湿剤等は必要に応じて添加するものである。
【課題を解決するための手段】
【０００９】  上記課題を解決するために、請求項１に記載の本発明は、不織布シートにナノバブル含有消毒水を含浸させたことを特徴とする。【００１０】  請求項２に記載の本発明は、請求項１に記載のナノバブルが窒素、酸素、炭酸ガス、空気、オゾン、ヘリウム、炭酸ガスと酸素の混合ガス、及びこれら２種以上のガスの混合物であるあることを特徴とする。【００１１】  請求項３に記載の本発明は、請求項１〜２に記載のナノバブルのメジアン径（Ｄ５０）が１５０ｎｍ以下で、１ｍＬあたり４億個以上含むことを特徴とする。【００１２】  請求項３に記載の本発明のナノバブルのメジアン径（Ｄ５０）が１５０ｎｍ以下を満足するものは凡そ下記分布を満足する。
直径の平均値：１００〜２００ｎｍ、
直径のモード値：８０〜１７０ｎｍ、かつ
標準偏差：３０〜９０ｎｍ【００１３】  請求項４に記載の本発明は、請求項１〜３に記載のナノバブル水が、蒸留水、イオン交換水等の精製水、および水道水のいずれか或いはこれらの組合せであることを特徴とする。【００１４】  請求項５に記載の本発明は、メジアン径（Ｄ５０）が１５０ｎｍ以下の窒素、酸素、炭酸ガス、空気、オゾン、ヘリウム、炭酸ガスと酸素の混合ガス、及びこれら２種以上のガスの混合物であるナノバブルを１ｍＬあたり４億個以上含ませるように、ナノバブルガスを被処理水中に分散および混合する工程、または、予め製造したナノバブル水を前記被処理水に分散および混合する工程を特徴とする。
【発明の効果】
【００１５】  請求項１〜５に記載の本発明によれば、不織布シートに含有する洗浄剤に殺菌防腐剤を添加することなく、ナノバブルが有する殺菌・消毒作用を全面的に利用するので、肌に対し刺激を与えず、肌のデリケートな乳幼児やお年寄りに対しても、肌トラブルを気にすることなく、安心して使用することができる。【００１６】  また、上記ナノバブル水を１ｍＬあたり４億個以上好ましくは２０億個以上含ませた清拭消毒シートは、細菌の発育やカビの発生を抑えることができる。この結果、清拭シートが密閉された包装体を長期に亘り保管することができるとともに、使用時に包装体や清拭シートに手および空気が触れたとしても、細菌やカビの発生を抑えることができ、時間の経過とともにナノバブル数が漸減するが、５年間はその効果が持続する。
【発明を実施するための形態】
【００１７】  以下に本発明の実施の形態を適用した清拭消毒シートについて詳細を説明する。
【００１８】  本発明の実施の形態を適用した清拭消毒シートは、不織布シートに洗浄剤を含浸させている。この洗浄剤は、窒素、酸素、炭酸ガス、空気、オゾン、ヘリウム、炭酸ガスと酸素の混合ガス、及びこれら２種以上のガスの混合物であるナノバブルを含有した水を含浸させたものである。不織布シートしては、セルロース繊維、ナイロン繊維、ビニロン繊維、ポリエステル繊維、ポリオレフィン繊維、レーヨン繊維等が用いられるが、ポリオレフィン繊維が好ましい。
【００１９】  窒素、酸素、炭酸ガス、空気、オゾン、ヘリウム、炭酸ガスと酸素の混合ガス、及びこれら２種以上のガスの混合物であるナノバブルのメジアン径（Ｄ５０）が１５０ｎｍ以下で、１ｍＬあたり４億個以上含むものは殺菌・消毒・防腐効果が顕著で、殺菌剤、防腐剤を添加する必要がない。上限は特に限定されないが、１ｍＬあたり１００億個程度である。勿論、時間と共にナノバブル数は漸減して、殺菌、防腐効果は減少するが、前述の粒径、個数の範囲にあるものは、５年間程度はその効果を十分保持して、使用上問題なく、これらナノバブルの効果は失われないが、ほぼ同じ粒径、個数で比較すると、炭酸ガス、炭酸ガスと酸素の混合ガス、オゾン、ヘリウムナノバブルの殺菌効果が特に優れている。
【００２０】  これらナノバブルの直径分布は、
直径の平均値：１００〜２００ｎｍ、
直径のモード値：８０〜１７０ｎｍ、かつ
標準偏差：３０〜９０ｎｍ
の範囲におさまっている。
【００２１】  ナノバブル水に使用する水の種類については特に限定されないが、蒸留水、イオン交換水等の精製水、淡水、海水、温泉水および調理用水等のいずれか或いはこれらを組合せたものを用いるのが良い。蒸留水や精製水などを用いると雑菌が発生しやすく、これを抑えるにはアルコールを添加しておく等の方策も有るが、メジアン径（Ｄ５０）が１５０ｎｍ以下で、１ｍＬあたり４億個以上の窒素、酸素、炭酸ガス、空気、オゾン、ヘリウム、炭酸ガスと酸素の混合物、及びこれら２種以上のガスの混合物であるナノバブルを含むものは殺菌・消毒・防腐効果が顕著で、殺菌剤、防腐剤を添加する必要がない。ナノバブルは加温するとナノバブル水より逃散・減少するので、冷蔵庫で保管することが好ましい。
【００２２】  ナノバブル水で殺菌、防腐効果は十分有るが、必要に応じて殺菌防腐剤として塩化ベンザルコニウム、ブチルカルバミン酸ヨウ化プロピニル、プロピレングリコールまたは１，３−ブチレングリコール等を少量配合しても良い。
【００２３】  窒素、酸素、炭酸ガス、空気、オゾン、ヘリウム、炭酸ガスと酸素の混合ガス、及びこれら２種以上のガスの混合物のガスについては、ボンベに充填した状態で市販されているものから、用途等に応じて所望の容積、一次圧および純度のものを適宜選択して使用すればよい。なおヘリウムにはヘリウム３とヘリウム４があるが、ヘリウム３のほうが、消毒殺菌効果が大きい。被処理水単位体積あたりの各ガスの圧力および流量は、単位体積あたりのナノバブルの数、メジアン径（Ｄ５０）等に応じて適宜調節される。また、ナノバブルのメジアン径（Ｄ５０）を調節する手段としては、静置型流体混合装置への被処理水の供給圧や同装置中での被処理水および各ガスの循環時間等も挙げられる。
【００２４】  被処理水への上述の各ガスの微細気流の分散のため、各ガスの混合および分散については、ナノバブル水の製造に用いられる任意の公知の方法を特に制限なく用いることができる。用いられる方法の具体例としては、被処理水およびガスの二相流を回転刃で撹拌し、発生する渦を崩壊させることにより微細気泡を発生させる方法、高圧下で気体を過飽和溶解後圧力開放することにより高濃度の微細気泡を発生させる方法、シラスポーラスガラス（ＳＰＧ）等の多孔質セラミクスを通して被処理水を曝気する方法等が挙げられるが、静止型流体混合装置を用いる方法が特に好ましい。
【ナノバブル粒径測定法】
【００２５】    以下、本発明のナノバブル水に含まれるナノバブルの個数、およびその分布（平均、モード、Ｄ１０、Ｄ９０、メジアン径（Ｄ５０）、標準偏差）については、動的光散乱法、ブラウン運動量を用いる方法（Ｓｔｏｋｅｓ−Ｅｉｎｓｔｅｉｎ式に基づく解析）等の任意の公知の方法を用いて測定できる。
【００２６】  ここで
Ｄ５０；粒子の径を累積分布させたときの指標値で、累積５０％をメジアン径といいＤ５０で表す。
Ｄ１０；粒径の小さい側からの累積が１０％の量となる径、
Ｄ９０；粒径の小さい側からの累積が９０％となる径。
平均（直径）；体積分布での出力。
モード；分布の極大値。
Ｓ．Ｄ．；標準偏差。
を表す。
【００２７】  得られるナノバブル水に含まれるナノバブルの数、メジアン径（Ｄ５０）及びその分布については、
個数：４億個以上、好ましくは２０億個以上１００億個程度以下
メジアン径（Ｄ５０）は１５０ｎｍ以下を満足する必要がある。
上記ナノバブルの特性を満足するものは、凡そ下記範囲を満足する。すなわち直径（上限および下限）：１ｎｍ以上１μｍ以下、好ましくは１０ｎｍ以上５００ｎｍ以下
平均直径：好ましくは１００ｎｍ以上２００ｎｍ以下
モード：好ましくは８０ｎｍ以上１７０ｎｍ以下
標準偏差：好ましくは３０ｎｍ以上９０ｎｍ以下
である。
【００２８】  被処理水とガスとを直接静止型流体混合装置に加圧導入してナノバブル水を製造してもよいが、上記の様にして（例えば、上述の静止型流体混合装置を用いて）予め上述のガスのナノバブルを混合および分散させたナノバブル水と被処理水とを混合することによってナノバブル水を製造してもよい。この場合、予め製造しておくナノバブル水は、被処理水と混合したときに所望の単位体積あたりのナノバブル数、ナノバブルのメジアン径（Ｄ５０）が１５０ｎｍ以上を達成できるよう、それらの値を調整しておく必要がある。
【００２９】  本実施形態に係るナノバブルを用いた水の処理方法は、殺菌の効果により水の保存性を向上させることが必要とされる任意の用途に適用できる。
【００３０】  本発明の一実施の形態に係るナノバブル水は、高い殺菌効果を有すると共に、それに含まれるナノバブルの数、メジアン径（Ｄ５０）、粒径分布は、製造後長期間（数ヶ月程度）にわたり製造当初のそれらから殆ど変化を示さない。そのため、殺菌効果が長期にわたり持続する。殺菌効果のメカニズムについてはよく分からないが、ナノバブル圧壊時のラジカル生成やエネルギー放出による菌体の破壊等が考えられる。
【００３１】  本発明のナノバブル水による殺菌効果の確認は、初期に大腸菌、黄色ブドウ球菌、カンジダ菌、緑膿菌で検討したが、緑膿菌での評価が一番厳しく、緑膿菌で殺菌効果が認められれば、他の菌でも殺菌効果があることを確認して、緑膿菌を評価の代表として採用した。
【抗菌試験方法】
【００３２】検体の抗菌効果を調べる抗菌試験法は以下のとおりである。
【００３３】（１）試験菌；緑膿菌
（２）試験方法；
２−１；試験液作製
試験菌は普通寒天培地（ＮＡ）に接種し、３５℃で２４時間培養後、減菌生            理食塩水を用いて、菌数が１０８／ｍＬになるように作製したものを試験菌            液とした。
２−２；試験液の接種および培養
検体１０ｍＬに試験菌液をそれぞれ０．１ｍＬずつ接種し、２５℃で培養し            た。
２−３；生菌数測定
接種２４時間後に試験試料の１０倍希釈系列を、滅菌生理食塩水を用いて行            い、希釈液をＳＣＤＬＰ寒天培地に接種し、３５℃で４８時間培養した。培            養後、形成されたコロニーをカウントし、生菌数を換算した。また、滅菌燐            酸緩衝生理食塩水をコントロールとし、同時に試験を行った。
【実施例】
【００３４】  本発明を実施例によりさらに詳細に説明するが、本発明はそれらに限定されるものではない。【００３５】  （１）炭酸ガスナノバブル水の製造
株式会社ナノクス製のナノバブル水製造装置ｎａｎｏＱｕｉｃｋ＿ＲＮＭＯ１７Ａ−Ｓを使用して、蒸留水１Ｌに、炭酸ガスを毎分０．２Ｌ供給しながら、２５℃で３０分間（６０パス）循環させ、炭酸ガスナノバブル水を製造した。炭酸ガスナノバブル水に含まれる炭酸ガスナノバブルの数、直径及び直径分布を表１に示す。【００３６】
【表１】
2016165431.tif 000002
【００３７】  実施例１〜３、比較例１
実施例１は、作製した炭酸ガスナノバブル水を蒸留水で５倍に希釈（炭酸ガスナノバブル水１：蒸留水４）して、この炭酸ガスナノバブル水を、一定の緑膿菌の初発菌数（ｃｆｕ／ｍＬ）に添加して、接種２４時間後の生菌数を測定した。
実施例２は、作製した炭酸ガスナノバブル水を蒸留水で２倍に希釈（炭酸ガスナノバブル水１：蒸留水１）して、実施例１と同様に緑膿菌の生菌数を測定した。
実施例３は、作製した炭酸ガスナノバブル水を蒸留水で希釈せずに、そのまま使用して、実施例１と同様に緑膿菌の生菌数を測定した。
比較例１は、作製した炭酸ガスナノバブル水を蒸留水で２０倍に希釈（炭酸ガスナノバブル水１：蒸留水１９）して、実施例１と同様に緑膿菌の生菌数を測定した。結果を表２に示す。【００３８】
【表２】
2016165431.tif 000003
2016165431.tif 000004
【００３９】  以上の結果から、炭酸ガスナノバブルのメジアン径（Ｄ５０）が１５０ｎｍ以下で、１ｍＬあたり４億個以上含むものが殺菌効果を有し、有用であることが理解される。【００４０】  （２）炭酸ガスと酸素混合のナノバブル水の製造
実施例１〜３、比較例１で使用したナノバブル水製造装置を用いて、イオン交換水１Ｌに、炭酸ガスと酸素をそれぞれ毎分０．２Ｌ（合計で毎分０．４Ｌ）供給しながら、２５℃で３０分間（６０パス）循環させ、炭酸ガスと酸素混合のナノバブル水を製造した。ナノバブル水に含まれる炭酸ガスと酸素混合のナノバブルの数、直径及び直径分布を表３に示す。【００４１】
【表３】
2016165431.tif 000005
【００４２】  実施例４〜６、比較例２
実施例４は、作製した炭酸ガスと酸素混合のナノバブル水をイオン交換水で１０倍に希釈（炭酸ガスと酸素混合のナノバブル水１：イオン交換水９）して、この炭酸ガスと酸素混合のナノバブル水を、一定の緑膿菌の初発菌数（ｃｆｕ／ｍＬ）に添加して、接種２４時間後の生菌数を測定した。
実施例５は、作製した炭酸ガスと酸素混合のナノバブル水をイオン交換水で３倍に希釈（炭酸ガスと酸素の混合ナノバブル水１：イオン交換水２）して、実施例４と同様に緑膿菌の生菌数を測定した。
実施例６は、作製した炭酸ガスと酸素混合のナノバブル水をイオン交換水で希釈せずに、そのまま使用して、実施例４と同様に緑膿菌の生菌数を測定した。
比較例２は、作製した炭酸ガスと酸素混合のナノバブル水を、イオン交換水で３０倍に希釈（炭酸ガスと酸素混合のナノバブル水１：蒸留水２９）して、実施例４と同様に緑膿菌の生菌数を測定した。結果を表４に示す。【００４３】
【表４】
2016165431.tif 000006
【００４４】  以上の結果から、炭酸ガスと酸素混合のナノバブルのメジアン径（Ｄ５０）が１５０ｎｍ以下で、１ｍＬあたり４億個以上含むものが殺菌効果を有し、有用であることが理解される。【００４５】  （３）窒素ガスナノバブル水の製造
実施例１〜３、比較例１で使用したナノバブル水製造装置を用いて、水道水１Ｌに、窒素ガスを毎分０．２Ｌ供給しながら、２５℃で４０分間（８０パス）循環させ、窒素ガスナノバブル水を製造した。ナノバブル水に含まれる窒素のナノバブルの数、直径及び直径分布を表５に示す。【００４６】
【表５】
2016165431.tif 000007
【００４７】  実施例７〜９、比較例３
実施例７は、作製した窒素ガスナノバブル水を水道水で１５倍に希釈（窒素ガスナノバブル水１：水道水１４）して、この窒素ガスナノバブル水を、一定の緑膿菌の初発菌数（ｃｆｕ／ｍＬ）に添加して、接種２４時間後の生菌数を測定した。
実施例８は、作製した窒素ガスナノバブル水を水道水で３倍に希釈（窒素ガスナノバブル水１：水道水２）して、実施例７と同様に緑膿菌の生菌数を測定した。
実施例９は、作製した窒素ガスナノバブル水を水道水で希釈せずに、そのまま使用して、実施例７と同様に緑膿菌の生菌数を測定した。
比較例３は、作製した窒素ガスナノバブル水を、水道水で３０倍に希釈（窒素ガスナノバブル水１：水道水２９）して、実施例７と同様に緑膿菌の生菌数を測定した。結果を表６に示す。【００４８】
【表６】
2016165431.tif 000008
【００４９】  以上の結果から、窒素ガスナノバブルのメジアン径（Ｄ５０）が１５０ｎｍ以下で、１ｍＬあたり４億個以上含むものが殺菌効果を有し、有用であることが理解される。【００５０】  （４）酸素ナノバブル水の製造
実施例１〜３、比較例１で使用したナノバブル水製造装置を用いて、水道水１Ｌに、酸素ガスを毎分０．２Ｌ供給しながら、２５℃で４０分間（８０パス）循環させ、酸素ガスナノバブル水を製造した。ナノバブル水に含まれる酸素ナノバブルの数、直径及び直径分布を表７に示す。【００５１】
【表７】
2016165431.tif 000009
2016165431.tif 000010
【００５２】  実施例１０〜１２、比較例４
実施例１０は、作製した酸素ガスナノバブル水を水道水で１５倍に希釈（酸素ガスナノバブル水１：水道水１４）して、この酸素ガスナノバブル水を、一定の緑膿菌の初発菌数（ｃｆｕ／ｍＬ）に添加して、接種２４時間後の生菌数を測定した。
実施例１１は、作製した酸素ガスナノバブル水を水道水で５倍に希釈（酸素ガスナノバブル水１：水道水４）して、実施例１０と同様に緑膿菌の生菌数を測定した。
実施例１２は、作製した酸素ガスナノバブル水を水道水で希釈せずに、そのまま使用して、実施例１０と同様に緑膿菌の生菌数を測定した。
比較例４は、作製した酸素ガスナノバブル水を、水道水で３０倍に希釈（酸素ガスナノバブル水１：水道水２９）して、実施例１０と同様に緑膿菌の生菌数を測定した。結果を表８に示す。【００５３】
【表８】
2016165431.tif 000011
2016165431.tif 000012
【００５４】  以上の結果から、酸素ガスナノバブルのメジアン径（Ｄ５０）が１５０ｎｍ以下で、１ｍＬあたり４億個以上含むものが殺菌効果を有し、有用であることが理解される。【００５５】  （５）空気ナノバブル水の製造
実施例１〜３、比較例１で使用したナノバブル水製造装置を用いて、水道水１Ｌに、空気を毎分０．２Ｌ供給しながら、２５℃で２０分間（４０パス）循環させ、空気ナノバブル水を製造した（実施例１３に使用）。ひき続いて水道水１Ｌに、空気を毎分０．１Ｌ供給しながら、２５℃で１０分間（２０パス）循環させ空気ナノバブル水を製造した（比較例４に使用）。ナノバブル水に含まれる空気ナノバブルの数、直径及び直径分布を表９に示す。【００５６】
【表９】
2016165431.tif 000013
【００５７】  実施例１３、比較例５
実施例１３、比較例５は、作製した空気ナノバブル水を水道水で希釈せずに、そのまま使用して、一定の緑膿菌の初発菌数（ｃｆｕ／ｍＬ）に添加して、接種２４時間後の生菌数を測定した。結果を表１０に示す。【００５８】
【表１０】
2016165431.tif 000014
【００５９】  以上の結果から、空気ナノバブルのメジアン径（Ｄ５０）が１５０ｎｍ以下で、１ｍＬあたり４億個以上含むものが殺菌効果を有し、有用であることが理解される。【００６０】  （６）ヘリウム３ナノバブル水の製造
実施例１〜３、比較例１で使用したナノバブル水製造装置を用いて、蒸留水１Ｌに、ヘリウム３ガスを毎分０．２Ｌ供給しながら、２５℃で２０分間（４０パス）循環させ、ヘリウム３ナノバブル水を製造した（実施例１４に使用）。引き続いて蒸留水１Ｌに、ヘリウム３ガスを毎分０．２Ｌ供給しながら、２５℃で１０分間（２０パス）循環させ、ヘリウム３ナノバブル水を製造した（比較例６に使用）。ナノバブル水に含まれるヘリウム３ナノバブルの数、直径及び直径分布を表１１に示す。【００６１】
【表１１】
2016165431.tif 000015
【００６２】  実施例１４、比較例６
実施例１４、比較例６は、作製したヘリウム３ナノバブル水を蒸留水で希釈せずに、そのまま使用して、一定の緑膿菌の初発菌数（ｃｆｕ／ｍＬ）に添加して、接種２４時間後の生菌数を測定した。結果を表１２に示す。【００６３】
【表１２】
2016165431.tif 000016
【００６４】  以上の結果から、空気ナノバブルのメジアン径（Ｄ５０）が１５０ｎｍ以下で、１ｍＬあたり４億個以上含むものが殺菌効果を有し、有用であることが理解される。【００６５】  表１〜１２の結果から、窒素、酸素、炭酸ガス、空気、オゾン、ヘリウム、炭酸ガスと酸素の混合物、及びこれら２種以上のガスの混合物からなるナノバブル水は、ナノバブルガスのメジアン径（Ｄ５０）が１５０ｎｍ以下で、１ｍＬあたり４億個以上含むものは著しい殺菌効果を有し、有用であることが理解される。殺菌効果のメカニズムについてはよく分からないが、ナノバブル圧壊時のラジカル生成やエネルギー放出による菌体の破壊等が起こっていると考えられる。